(57)【要約】【課題】本発明は、難燃性、帯電防止性、耐熱性、シャルピー衝撃強さ及び曲げモジュラスに優れ、且つ反りが少ない難燃性熱可塑性樹脂組成物を提供する。【解決手段】本発明の難燃性熱可塑樹脂組成物は、（Ａ）熱可塑性樹脂及び（Ｂ）ハードセグメントとしてポリアミド鎖又はポリエステル鎖と、ソフトセグメントとしてポリ（アルキレンオキシド）鎖からなる熱可塑性エラストマーの含有量の合計を１００部とした場合、上記（Ａ）熱可塑性樹脂を８０〜９９．９部及び上記（Ｂ）熱可塑性エラストマーを０．１〜２０部含有し、且つ、上記（Ａ）熱可塑性樹脂及び上記（Ｂ）熱可塑性エラストマーの含有量の合計１００部に対して、（Ｃ）芳香族系リン化合物を０．３〜８部と、（Ｄ）縮合リン酸エステル化合物及びホスファゼンの少なくとも１種を１〜３０部と、を含有する。【選択図】　　　　なし【特許請求の範囲】
【請求項１】
（Ａ）熱可塑性樹脂及び（Ｂ）ハードセグメントとしてポリアミド鎖又はポリエステル鎖と、ソフトセグメントとしてポリ（アルキレンオキシド）鎖からなる熱可塑性エラストマーの含有量の合計を１００質量部とした場合、上記（Ａ）熱可塑性樹脂を８０〜９９．９質量部及び上記（Ｂ）熱可塑性エラストマーを０．１〜２０質量部含有し、且つ、（Ｃ）下記一般式（１）及び下記一般式（２）から選ばれる少なくとも１種の芳香族系リン化合物を、上記（Ａ）熱可塑性樹脂及び上記（Ｂ）熱可塑性エラストマーの含有量の合計１００質量部に対して０．３〜８質量部含有することを特徴とする難燃性熱可塑性樹脂組成物。
【化１】
2004091679.tif 000011
（上記一般式（１）中、Ｒ１及びＲ２は、水素原子、ハロゲン原子又は低級アルキル基であり、Ｒ３は、水素原子、ハロゲン原子、ヒドロキシル基又は低級アルキル基である。ｘ１はそれぞれ独立に１〜４の整数であり、ｙは１〜５の整数である。ｘ１が１の場合、Ｒ１とＲ２は同一であってもよいし、異なっていてもよい。ｘ１が２〜４の場合、複数のＲ１及びＲ２の各々はそれぞれ同一であってもよいし、異なっていてもよい。ｙが２〜５の場合、複数のＲ３の各々は同一であってもよいし、異なっていてもよい。）
【化２】
2004091679.tif 000012
（上記一般式（２）中、Ｒ４及びＲ５は、水素原子、ハロゲン原子又は低級アルキル基である。ｘ２はそれぞれ独立に１〜４の整数である。ｘ２が１の場合、Ｒ４とＲ５は同一であってもよいし、異なっていてもよい。ｘ２が２〜４の場合、複数のＲ４及びＲ５の各々はそれぞれ同一であってもよいし、異なっていてもよい。Ｚは下記の式（３）〜（６）から選ばれる１価の基である。）
【化３】
2004091679.tif 000013
【化４】
2004091679.tif 000014
【化５】
2004091679.tif 000015
【化６】
2004091679.tif 000016
【請求項２】
更に、上記（Ａ）熱可塑性樹脂及び上記（Ｂ）熱可塑性エラストマーの含有量の合計１００質量部に対して、（Ｄ）下記一般式（７）で表わされる縮合リン酸エステル化合物及びホスファゼン化合物から選ばれる少なくとも１種のリン化合物を１〜３０質量部含有する請求項１記載の難燃性熱可塑性樹脂組成物。
【化７】
2004091679.tif 000017
（上記一般式（７）中、Ｒ６，Ｒ７，Ｒ８及びＲ９は、フェニル基又はキシリル基であり、それぞれ同一であってもよく、異なっていてもよい。Ｘは２価のレゾルシノール残基又はビスフェノールＡ残基である。ｎは０．５〜１．２である。）
【請求項３】
ＡＳＴＭ　Ｄ２５７に従って測定される表面固有抵抗値が１０１３Ω以下である請求項１又は２に記載の難燃性樹脂組成物。
【発明の詳細な説明】
【０００１】
【発明の属する技術分野】
本発明は、難燃性熱可塑性樹脂組成物に関する。更に詳しくは、難燃性、帯電防止性、耐熱性、ウェルド強度及び剛性に優れ、且つ反りが少ない難燃性熱可塑性樹脂組成物に関する。
本発明は、オフィスオートメーション（ＯＡ）機器・家電分野、電気・電子・通信分野、コンピュータ分野、雑貨分野、サニタリー分野、車両分野等において利用することができる。特に、持続性帯電防止機能が要求される機器材料として好適である。
【０００２】
【従来の技術】
ＡＢＳ樹脂に熱可塑性エラストマーを添加した熱可塑性樹脂は、優れた帯電防止性能を有することから、埃防止用途に広く使用されている。また、これに難燃剤を添加することにより、帯電防止性能を有する難燃性材料も広く開発され、ＯＡ機器、電気、電子分野等を中心に多くの用途で使用されている。そして、従来は難燃剤として、ハロゲン系及び／又は三酸化アンチモン系が使用されていたが、昨今の環境問題から、ハロゲン系難燃剤を使用しない材料も開発されている。
【０００３】
【発明が解決しようとする課題】
しかし、従来から用いられている難燃性樹脂組成物は、難燃性が必ずしも十分ではなく、帯電防止性能が低いことが課題であった。更に、従来から用いられている難燃性樹脂組成物は耐熱性が劣るため、成形品の後収縮が発生し、反りが生じることがあった。
本発明は、上記従来技術の課題を背景になされたものであり、難燃性、帯電防止性、耐熱性、ウェルド強度及び剛性に優れ、且つ反りが少ない難燃性熱可塑性樹脂組成物を提供することを目的とする。
【０００４】
【課題を解決するための手段】
本発明は以下に示すとおりである。
〔１〕（Ａ）熱可塑性樹脂及び（Ｂ）ハードセグメントとしてポリアミド鎖又はポリエステル鎖と、ソフトセグメントとしてポリ（アルキレンオキシド）鎖からなる熱可塑性エラストマーの含有量の合計を１００質量部（以下、単に「部」という）とした場合、上記（Ａ）熱可塑性樹脂を８０〜９９．９部及び上記（Ｂ）熱可塑性エラストマーを０．１〜２０部含有し、且つ、（Ｃ）下記一般式（１）及び下記一般式（２）から選ばれる少なくとも１種の芳香族系リン化合物（以下、「（Ｃ）芳香族系リン化合物」という。）を、上記（Ａ）熱可塑性樹脂及び上記（Ｂ）熱可塑性エラストマーの含有量の合計１００部に対して０．３〜８部含有することを特徴とする難燃性熱可塑性樹脂組成物。
〔２〕更に、上記（Ａ）熱可塑性樹脂及び上記（Ｂ）熱可塑性エラストマーの含有量の合計１００部に対して、（Ｄ）上記一般式（７）で表わされる縮合リン酸エステル化合物及びホスファゼン化合物から選ばれる少なくとも１種のリン化合物（以下、「（Ｄ）リン化合物」という。）を１〜３０部含有する上記〔１〕記載の難燃性熱可塑性樹脂組成物。
〔３〕ＡＳＴＭ　Ｄ２５７に従って測定される表面固有抵抗値が１０１３Ω以下である上記〔１〕又は〔２〕に記載の難燃性樹脂組成物。
【０００５】
【発明の効果】
本発明の難燃性熱可塑性樹脂組成物は、難燃性、帯電防止性、耐熱性、ウェルド強度及び剛性に優れ、且つ反りが少ない。特に本発明では上記（Ｂ）熱可塑性エラストマーを含有するため、帯電防止性に優れる。更に、本発明に含まれる上記（Ｃ）芳香族系リン化合物は、上記（Ｂ）熱可塑性エラストマーの帯電防止性を相乗的に向上させる。また、上記（Ｃ）芳香族系リン化合物は、難燃性を向上させると共に耐熱性も向上させる。
また、本発明の難燃性熱可塑性樹脂組成物が上記（Ｄ）リン化合物を所定量含有することにより、より難燃性が向上する。また、上記（Ｄ）リン化合物は上記（Ｂ）熱可塑性エラストマーの帯電防止性を相乗的に向上させる。
更に、上記難燃性熱可塑性樹脂組成物のＡＳＴＭ　Ｄ２５７に従って測定される表面固有抵抗値が１０１３Ω以下である場合は、持続性帯電防止機能が要求される機器材料として好適である。
【０００６】
【発明の実施の形態】
以下、本発明を詳しく説明する。
［１］熱可塑性樹脂
上記「（Ａ）熱可塑性樹脂」は特に限定されず、全ての熱可塑性樹脂を使用することができる。具体的には、例えば、（ゴム強化）スチレン系樹脂、ポリエチレン及びポリプロピレン等のポリオレフィン樹脂、ポリアミド６、ポリアミド６６、ポリアミド４６，ポリアミド９Ｔ（Ｔ；テレフタル酸成分）、ポリアミド６Ｔ（Ｔ；テレフタル酸成分）等のポリアミド樹脂、ポリブチレンテレフタレート及びポリエチレンテレフタレート等のポリエステル樹脂、ポリフェニレンスフィルド、芳香族ポリカーボネート、ポリメタクリレート等のアクリル系樹脂、並びに変性ポリフェニレンエーテル樹脂等が挙げられる。この熱可塑性樹脂としては、（ゴム強化）スチレン系樹脂及び／又は芳香族ポリカーボネート樹脂を使用することが好ましい。また、上記（Ａ）熱可塑性樹脂は１種のみでもよく、２種以上が併含されていてもよい。
【０００７】
上記（ゴム強化）スチレン系樹脂としては、ゴム質重合体の存在下に芳香族ビニル単量体を含むビニル系単量体をグラフト重合させた共重合樹脂及び／又は芳香族ビニル単量体を含むビニル系単量体を重合させたスチレン系重合体を使用することができる。
【０００８】
グラフト重合時に使用される上記ゴム質重合体としては、ポリブタジエン、スチレン−ブタジエンランダム共重合体、スチレン−ブタジエンブロック共重合体、ブタジエン−アクリロニトリル共重合体、イソブチレン−イソプレン共重合体、スチレン−ブタジエン−スチレンブロック共重合体、スチレン−イソプレン−スチレンブロック共重合体等の共役ジエン系（共）重合体、これら共役ジエン系（共）重合体の水素添加物、エチレン−プロピレン−（非共役ジエン）共重合体、エチレン−ブテン−１−（非共役ジエン）共重合体、ポリウレタン系ゴム、アクリル系ゴム及びシリコーン系ゴム等が挙げられる。これらのうち、ポリブタジエン、スチレン−ブタジエン共重合体、アクリル系ゴム、エチレン−プロピレン−（非共役ジエン）共重合体、水素添加ジエン系（共）重合体及びシリコーン系ゴムが好ましく用いられる。上記ゴム質重合体は１種のみでもよく、２種以上を併用してもよい。
【０００９】
上記ゴム質重合体は、一般に粒子状であり、その平均粒子径は、６０〜５００ｎｍ、特に１５０〜４００ｎｍであることが好ましい。更に、トルエン不溶分により表されるゴム質重合体のゲル分率は、通常、９８質量％以下（０質量％であってもよい。）であり、４０〜９８質量％、特に５０〜９５質量％、更には６０〜９０質量％であることが好ましい。ゲル分率が上記範囲であれば、より優れた耐衝撃性及び表面の光沢等を有する成形品とすることができる。上記ゲル分率は、ゴム質重合体の重合時に、分子量調整剤の種類及び量、重合時間、重合温度、重合転化率等を適宜設定することにより調整することができる。
尚、このゲル分率は、トルエン１００ｍｌにゴム質重合体１ｇを投入し、室温で４８時間静置した後、１００メッシュの金網でろ過してトルエンを除去し、８０℃で６時間乾燥し、秤量してトルエン可溶分（ｇ）を求め、次式により算出することができる。
トルエン不溶分（％）＝〔１（ｇ）−トルエン可溶分（ｇ）〕×１００
【００１０】
また、上記芳香族ビニル単量体としては、スチレン、α−メチルスチレン、Ｏ−メチルスチレン、ビニルトルエン、メチル−α−メチルスチレン、ジビニルベンゼン等が挙げられ、特に、スチレン及びα−メチルスチレンが好ましい。グラフト重合に用いる全単量体の５〜５０質量％、特に２０〜３０質量％をα−メチルスチレンとすれば、難燃性熱可塑性樹脂組成物の耐熱性をより向上させることができる。また、下記の共重合可能な他の単量体も含め、ビニル単量体の全量を１００質量％とした場合、芳香族ビニル単量体の割合は４０〜９２質量％、特に５０〜８０質量％、更には５０〜７５質量％であることが好ましい。但し、メチルメタクリレートを共重合させ、透明性に優れた難燃性熱可塑性樹脂組成物とする場合は、このメチルメタクリレートを３０〜８０質量％、特に４０〜７５質量％とし、芳香族ビニル単量体の割合を１０〜５０質量％、特に１５〜２５質量％とし、上記共重合可能な他のビニル単量体（好ましくはアクリロニトリル）の割合を０〜４０質量％、特に１〜３０質量％とすることが好ましい。
【００１１】
上記共重合可能な他のビニル単量体としては、以下のものが例示される。
（１）アクリロニトリル及びメタクリロニトリル等のビニルシアン化合物
（２）無水マレイン酸、無水イタコン酸及び無水シトラコン酸等の不飽和酸無水物
（３）アクリル酸及びメタクリル酸等の不飽和酸
（４）メタクリル酸メチル、メタクリル酸エチル及びメタクリル酸ブチル等の不飽和酸エステル
（５）マレイミド、Ｎ−メチルマレイミド、Ｎ−ブチルマレイミド、Ｎ−フェニルマレイミド、Ｎ−（４−ヒドロキシフェニル）マレイミド及びＮ−シクロヘキシルマレイミド等の不飽和ジカルボン酸のイミド化合物
（６）グリシジルアクリレート、グリシジルメタクリレート及びアクリルグリシジルエーテル等のエポキシ基を有する不飽和化合物
（７）３−ヒドロキシ−１−プロペン、４−ヒドロキシ−１−ブテン、シス−４−ヒドロキシ−２−ブテン、トランス−４−ヒドロキシ−２−ブテン、３−ヒドロキシ−２−メチル−１−プロペン、２−ヒドロキシエチルアクリレート、２−ヒドロキシエチルメタクリレート及びヒドロキシスチレン等のヒドロキシル基を有する不飽和化合物、
（８）アクリルアミド及びメタクリルアミド等の不飽和カルボン酸アミド
（９）アクリルアミン、メタクリル酸アミノメチル、メタクリル酸アミノエチル、メタクリル酸アミノプロピル、アミノスチレン等のアミノ基を有する不飽和化合物
（１０）ビニルオキサゾリン等のオキサゾリン基を有する不飽和化合物
上記共重合可能な他のビニル単量体は１種のみを使用してもよく、２種以上を併用することもできる。
【００１２】
上記共重合樹脂又は上記スチレン系重合体における単量体の組み合わせとしては、下記の組み合わせを例示することができる。
（１）スチレン／アクリロニトリル
（２）スチレン／アクリロニトリル／α−メチルスチレン
（３）スチレン／Ｎ−フェニルマレイミド
（４）スチレン／アクリロニトリル／Ｎ−フェニルマレイミド
（５）スチレン／メチルメタクリレート／アクリロニトリル
尚、スチレン／無水マレイン酸共重合体、或いはスチレン／アクリロニトリル／無水マレイン酸共重合体の酸無水物基を、アニリン等のアミン化合物によって完全又は部分イミド化することにより、上記（３）又は（４）と同様の共重合体が得られ、これらの共重合体を使用することも好ましい。
【００１３】
上記共重合樹脂のグラフト率は、２０〜１５０％、特に３０〜１２０％、更には４０〜１２０％であることが好ましい。このグラフト率（％）は、上記ゴム質重合体にグラフト結合した単量体の、上記ゴム質重合体に対する割合であり、次式により求められる。
グラフト率（％）＝［（Ｔ−Ｓ）／Ｓ］×１００
［但し、Ｔはアセトン２ｍｌに共重合樹脂１ｇを投入し、振とう機により常温で２時間振とうした後、遠心分離器（回転数；２３０００ｒｐｍ）で６０分間遠心分離し、不溶分と可溶分とを分離して得られる不溶分の質量であり、Ｓは共重合樹脂１ｇに含まれるゴム質重合体の質量である。］
【００１４】
また、上記共重合樹脂のアセトン可溶分及び上記スチレン系重合体の極限粘度［η］（溶媒としてメチルエチルケトンを使用し、３０℃で測定）は、０．２〜１．２ｄｌ／ｇ、特に０．２〜１ｄｌ／ｇ、更には０．３〜１ｄｌ／ｇであることが好ましい。
【００１５】
上記（Ａ）熱可塑性樹脂として、上記共重合樹脂又は上記共重合樹脂と上記スチレン系重合体の組み合わせからなるゴム強化スチレン系樹脂である場合、該ゴム強化スチレン系樹脂中のゴム質重合体の含有量として好ましくは５〜４０質量％、更に好ましくは５〜３５質量％、特に好ましくは１０〜３０質量％である。本発明において、共重合樹脂、スチレン系重合体は、一般的な重合法である乳化重合、塊状重合、塊状懸濁重合、溶液重合等の方法によって製造することができる。共重合樹脂の場合は特に乳化重合が好ましい。
【００１６】
上記芳香族ポリカーボネート樹脂としては、２価フェノールとカーボネート前駆体とを反応させてなるポリカーボネート樹脂を使用することができる。
２価フェノールとしては、２，２−ビス（４−ヒドロキシフェニル）プロパン（以下、ビスフェノールＡという）、１，１−ビス（４−ヒドロキシフェニル）エタン、１，１−ビス（４−ヒドロキシフェニル）シクロヘキサン、２，２−ビス（４−ヒドロキシ−３，５−ジメチルフェニル）プロパン、２，２−ビス（４−ヒドロキシ−３−メチルフェニル）プロパン、ビス（４−ヒドロキシフェニル）サルファイド、ビス（４−ヒドロキシフェニル）スルホン酸等が挙げられる。好ましい２価フェノールは、２，２−ビス（４−ヒドロキシフェニル）アルカン系であり、ビスフェノールＡが特に好ましい。
【００１７】
カーボネート前駆体としては、カルボニルハライド、炭酸ジエステル、ビスハロホルメート等が挙げられ、具体的には、ホスゲン、ジフェニルカーボネート、２価フェノールのジビスクロロホルメート等が挙げられる。
これら２価フェノールとカーボネート前駆体とを反応させて芳香族ポリカーボネート樹脂を製造する際、２価フェノールは１種のみでもよく、２種以上を併用してもよい。また、上記芳香族ポリカーボネート樹脂は、１種のみであってもよく、２種以上の芳香族ポリカーボネート樹脂の混合物であってもよい。
【００１８】
上記芳香族ポリカーボネート樹脂の粘度平均分子量は、通常、１００００〜４００００であり、１２０００〜３００００であることが好ましい。この粘度平均分子量（Ｍ）は、塩化メチレン１００ｍｌに芳香族ポリカーボネート樹脂０．７ｇを２０℃で溶解させた溶液を用いて測定した比粘度（ηｓｐ）を次式に挿入して算出することができる。
粘度平均分子量（Ｍ）＝（［η］×８１３０）１．２０５
ここで、［η］＝［（ηｓｐ×１．１２＋１）１／２−１］／（０．５６×Ｃ）
但し、［η］は極限粘度であり、Ｃは樹脂濃度である。
【００１９】
以下、上記芳香族ポリカーボネート樹脂を製造するための界面重合法（溶液法）について簡単に説明する。
（１）ポリカーボネート前駆体としてホスゲンを用いる界面重合法
この方法では、通常、酸結合剤及び有機溶媒の存在下で反応させる。酸結合剤としては、水酸化ナトリウム、水酸化カリウム等のアルカリ金属の水酸化物、又はピリジン等のアミン化合物が使用される。有機溶媒としては、塩化メチレン、クロロベンゼン等のハロゲン化炭化水素が用いられる。更に、反応促進のため、第３級アミン、第４級アンモニウム塩等の触媒を使用することができる。また、分子調節剤としては、フェノール、ｐ−タート−ブチルフェノール及び４−（２−フェニルイソプロピル）フェノール等のアルアルキル置換フェノール等の末端停止剤を用いることが好ましい。また、反応温度は、通常、０〜４０℃、反応時間は１０分〜５時間、反応中のｐＨは９以上に保つことが好ましい。尚、結果として分子鎖末端のすべてが末端停止剤に由来の構造を有している必要はない。
【００２０】
（２）カーボネート前駆体として炭酸ジエステルを用いるエステル交換反応（溶融重合法）
この方法では、不活性ガス雰囲気下に所定割合の２価フェノール成分及び必要に応じて分岐剤等を炭酸ジエステルと加熱しながら撹拌し、生成するアルコール類又はフェノール類を留出させることにより反応が行われる。反応温度は生成するアルコール類又はフェノール類の沸点等により異なるが、通常、１２０〜３５０℃である。反応は、その初期から、減圧下に生成するアルコール類又はフェノール類を留出させながら進行させ、完結させる。また、反応を促進するために、アルカリ金属化合物、含窒素塩基性化合物等のエステル交換反応に一般に用いられる触媒を使用することもできる。
【００２１】
エステル交換反応に使用される上記炭酸ジエステルとしては、ジフェニルカーボネート、ジナフチルカーボネート、ビス（ジフェニル）カーボネート、ジメチルカーボネート、ジエチルカーボネート、ジブチルカーボネート等が挙げられる。これらのうちではジフェニルカーボネートが特に好ましい。更に、末端停止剤として、ジフェニルカーボネート、メチル（２−フェニルオキシカルボニルオキシ）ベンゼンカルボキシレート等を、反応の初期段階で、又は反応の途中で添加すること、及び反応終了直前に各種の触媒失活剤を添加すること等も好ましい。
【００２２】
上記芳香族ポリカーボネート樹脂は、界面重合法及び溶融重合法のいずれで製造されたものを用いてもよいが、界面重合法によるポリカーボネート樹脂には、溶媒及びその変性体、触媒、触媒失活剤及びそれらの変性体、並びに反応副生成物等の塩素化合物等が少なからず残存している。残存塩素化合物は精製によりある程度は除去することができるが、僅かな塩素化合物が残存することは避けられない。この芳香族ポリカーボネート樹脂に含まれる塩素化合物は、難燃性熱可塑性樹脂組成物に難燃剤として配合される縮合リン酸エステル化合物と相互に作用し、組成物の加水分解を引き起こす可能性がある。よって、使用する上記芳香族ポリカーボネート樹脂に含まれる塩素化合物の含有量は、塩素原子に換算して３００ｐｐｍ以下にまで低減されていることが好ましい。
【００２３】
塩素化合物の含有量の少ない芳香族ポリカーボネート樹脂とするためには、例えば、ポリカーボネート樹脂をアセトンにより処理したり、ポリカーボネート樹脂の粉末をペレット化する際、ベント付押出機の途中に水を強制的に注入して脱塩素化を行う方法等が挙げられる。また、ポリカーボネート樹脂を含む溶液を貧溶剤により沈殿させる方法、或いは乾燥処理を強化する方法等、従来の種々の方法により塩素化合物の含有量を低減させることもできる。
【００２４】
更に、芳香族ポリカーボネート樹脂粉粒体と温水とを容器に投入し、撹拌しながらポリカーボネート樹脂の有機溶媒溶液を連続的に供給し、この溶媒を蒸発させることにより、ポリカーボネート樹脂の有機溶媒溶液からポリカーボネート樹脂粉粒体を製造する方法において、容器内の温度を下記式に示されたＴ１（℃）又はＴ２（℃）の範囲内に保持し、撹拌翼等の回転数を６０〜１００ｒｐｍとし、且つ撹拌能力を５〜１０ｋｗ／ｈｒ・ｍ３とした場合に、塩素化合物の含有量を低減することができるばかりでなく、粉体が少なく、ろ過性が良好で、乾燥性に優れた芳香族ポリカーボネート樹脂とすることができるため好ましい。
０．００１８×Ｍ１＋３７≦Ｔ１（℃）≦０．００１８×Ｍ１＋４２
（Ｍ１；粘度平均分子量であり、１００００〜２００００である。）
０．０００７×Ｍ２＋５９≦Ｔ２（℃）≦０．０００７×Ｍ２＋６４
（Ｍ２；粘度平均分子量であり、２００００以上である。）
【００２５】
上記（Ａ）熱可塑性樹脂として、好ましくはゴム強化スチレン系樹脂、及びゴム強化スチレン系樹脂１０〜９０質量％と芳香族ポリカーボネート樹脂９０〜１０質量％の組成物が挙げられる。
本発明の難燃性熱可塑性樹脂組成物において、上記（Ａ）熱可塑性樹脂の含有量は、上記（Ａ）熱可塑性樹脂及び上記（Ｂ）熱可塑性エラストマーの含有量の合計を１００部とした場合、８０〜９９．９部、好ましくは８０〜９６部、より好ましくは８０〜９４部である。９９．９部を超える場合は、帯電防止能、シャルピー衝撃強さが劣り、８０部未満である場合は、曲げモジュラスが劣る。
【００２６】
［２］（Ｂ）熱可塑性エラストマー
本発明の上記（Ｂ）熱可塑性エラストマーは、ハードセグメントとして、ポリアミド鎖又はポリエステル鎖、ソフトセグメントとしてポリ（アルキレンオキシド）鎖からなる。本発明の上記（Ｂ）熱可塑性エラストマーとしては、具体的には、例えば、ポリアミドエラストマー、ポリエステルエラストマーが挙げられる。本発明の上記（Ｂ）熱可塑性エラストマーは１種単独で用いてもよく、２種以上併用してもよい。
【００２７】
（１）ポリアミドエラストマー
本発明の上記（Ｂ）熱可塑性エラストマーとして挙げられるポリアミドエラストマーは、炭素数６以上のアミノカルボン酸若しくはラクタム、又はｍ＋ｎが１２以上のナイロンｍｎ塩等からなるハードセグメントと、ポリオール、例えば、ポリ（アルキレンオキシド）グリコール等のソフトセグメントから構成され、且つエラストマー中に占めるハードセグメントの比率が、好ましくは５〜９５質量％、更に好ましくは１０〜９０質量％、特に好ましくは３０〜８０質量％のものである。
上記炭素数６以上のアミノカルボン酸若しくはラクタム、又はｍ＋ｎが１２以上のナイロンｍｎ塩等からなるハードセグメントとしては、ω−アミノカプロン酸、ω−アミノエナン酸、ω−アミノカプリル酸、ω−アミノベルゴン酸、ω−アミノカプリン酸、１１−アミノウンデカン酸、１２−アミノドデカン酸等のアミノカルボン酸；カプロラクタム、ラウリルラクタム等のラクタム；ナイロン６，６、ナイロン６，１０、ナイロン６，１２、ナイロン１１，６、ナイロン１１，１０、ナイロン１２，６、ナイロン１１，１２、ナイロン１２，１０、等のナイロン塩が挙げられる。尚、ハードセグメントとなる上記アミノカルボン酸、ラクタム、又はナイロン塩、ｐ−フェニレンジアミン、ｍ−フェニレンジアミン等の芳香族ジアミン；テレフタル酸、イソフタル酸等の芳香族ジカルボン酸の１種又は、２種以上を３０質量％以下程度共重合しても良い。
【００２８】
また、上記ポリオール等のソフトセグメントとしては、ポリエチレングリコール、ポリ（１，２及び／又は１，３−プロピレンオキシド）グリコール、ポリ（ヘキサメチレンオキシド）グリコール、エチレンオキシドとプロピレンオキシドとのブロック又はランダム共重合体、エチレンオキシドとテトラヒドロフランとのブロック又はランダム共重合体や、更に上記ソフトセグメント中に、２，２−ビス（４−ヒドロキシフェニル）プロパン｛ビスフェノールＡ｝等のジヒドロキシ化合物を共重合したものも使用することができる。上記ソフトセグメントの数平均分子量は、好ましくは２００〜１００００、更に好ましくは２５０〜６０００、である。上記ハードセグメントやソフトセグメントは、それぞれ、１種単独で使用することも、２種以上を混合して用いることもできる。
【００２９】
ポリアミドエラストマーは、ハードセグメントとソフトセグメントの少なくとも一部がブロック共重合していることが必要である。ソフトセグメント分子の両末端が水酸基である場合、ハードセグメントの分子両末端はカルボキシル基であることが好ましい。また、ソフトセグメント分子の両末端がカルボキシル化されたものを用いる場合、ハードセグメントの分子両末端は、アミノ基であることが好ましい。更に、ソフトセグメントの分子の両末端がアミノ化されたものを用いる場合、ハードセグメントの分子両末端は、カルボキシル化されたものが好ましい。ハードセグメントの分子両末端をカルボキシル化する方法としては、ハードセグメント重合時にジカルボン酸化合物過剰で重合するか、又は重合後にジカルボン酸を添加するか、更には両者を併用する方法が挙げられる。ここで使用されるジカルボン酸化合物は、公知の脂肪族ジカルボン酸、芳香族ジカルボン酸等が使用でき、例示すると、コハク酸、シュウ酸、アジピン酸、ドデカンジカルボン酸、テレフタル酸等が挙げられる。
上記ポリアミドエラストマーの還元粘度ηｓｐ／Ｃ（ギ酸溶液中、０．５ｇ／１００ｍｌ、２５℃で測定）は、好ましくは０．５〜５．０である。
【００３０】
（２）ポリエステルエラストマー
本発明の上記（Ｂ）熱可塑性エラストマーとして挙げられるポリエステルエラストマーとしては、ポリエステルをハードセグメントとして、ポリオールをソフトセグメントとするブロック共重合体である。このうち、ソフトセグメントとして使用されるポリオールとしては、上記したものがすべて使用できる。本発明のポリエステルエラストマー中に占めるハードセグメントの比率は、好ましくは５〜９５質量％、更に好ましくは１０〜９０質量％，特に好ましくは３０〜８０質量％である。
上記ハードセグメントのポリエステル成分は、ジカルボン酸とジヒドロキシ化合物との重縮合、オキシカルボン酸化合物の重縮合、ラクトン化合物の開環重縮合、若しくはこれらの各成分の混合物の重縮合等によって得ることができる。
【００３１】
上記ジカルボン酸化合物としては、テレフタル酸、イソフタル酸、ナフタレンジカルボン酸、ジフェニルジカルボン酸、ジフェニルエーテルジカルボン酸、ジフェニルエタンジカルボン酸、シクロヘキサンジカルボン酸、アジピン酸、セバシン酸等が挙げられ、これらのアルキル、アルコキシまたはハロゲン置換体等も含まれる。また、これらのジカルボン酸化合物は、エステル形成可能な誘導体、例えば、ジメチルエステルのような低級アルコールエステルの形で使用することもできる。上記ジカルボン酸化合物は、１種単独で使用することも、又は２種以上を混合して用いることができる。
【００３２】
上記ジヒドロキシ化合物としては、エチレングリコール、プロピレングリコール、ブタンジオールグリコール、ブテンジオール、ハイドロキノン、レゾルシン、ジヒドロキシジフェニルエーテル、シクロヘキサンジオール、２，２−ビス（４−ヒドロキシフェニル）プロパン｛ビスフェノールＡ｝等が挙げられる。これらのジヒドロキシ化合物、１種単独で使用することも、又は２種以上を混合して用いることができる。
【００３３】
上記オキシカルボン酸化合物としては、オキシ安息香酸、オキシナフトエ酸、ジフェニレンオキシカルボン酸等が挙げられる。これらのアルキル、アルコキシまたはハロゲン置換体等も含まれる。これらのオキシカルボン酸化合物は、１種単独で使用することも、又は２種以上を混合して用いることができる。上記ラクトン化合物としては、ε−カプロラクトン等が用いられる。
【００３４】
上記ポリエステルエラストマーは、ハードセグメントとソフトセグメントの少なくとも一部がブロック共重合していることが必要である。ソフトセグメント分子の両末端が水酸基である場合、ハードセグメントの分子両末端はカルボキシル基であることが好ましい。また、ソフトセグメント分子の両末端がカルボキシ化されたものを用いる場合、ハードセグメントの分子両末端はアミノ基であることが好ましい。更に、ソフトセグメント分子の両末端がアミノ化されたものを用いる場合、ハードセグメントの分子両末端はカルボキシル化されているものが好ましい。ハードセグメントの分子両末端をカルボキシル化する方法としては、ハードセグメント重合時にジカルボン酸化合物過剰で重合するか、又は重合後にジカルボン酸を添加するか、又は両者を併用することが挙げられる。好ましいハードセグメントとしては、テレフタル酸とブタンジオールからなるポリエステル、テレフタル酸とエチレングリコールからなるポリエステルである。
上記ポリエステルエラストマーの還元粘度［η］（Ｏ−クロロフェノール溶液中、２５℃で測定）は、好ましくは０．３〜３．０ｄｌ／ｇである。
【００３５】
上記（Ｂ）熱可塑性エラストマーの含有量は、上記（Ａ）熱可塑性樹脂及び上記（Ｂ）熱可塑性エラストマーの含有量の合計を１００部とした場合、０．１〜２０部、好ましくは４〜２０部、より好ましくは６〜２０部である。０．１部未満であると帯電防止性能、シャルピー衝撃強さが劣り、２０部を超えると曲げモジュラスが劣る。
【００３６】
本発明の熱可塑性樹脂組成物では、帯電防止能をさらに向上させるために、ナトリウム化合物、カリウム化合物及びリチウム化合物のうちの１種又は２種以上を上記（Ｂ）熱可塑性エラストマーの原料成分と共に重合系へ添加してもよく、重合中に添加してもよく、さらに重合後に添加してもよい。ナトリウム化合物、カリウム化合物、リチウム化合物としては有機酸、過塩素酸、チオシアン酸、硫酸、炭酸、ハロゲン、リン酸、ホウ酸等の化合物が挙げられ、好ましい具体例としてはＮａＣｌ、ＫＣｌ、ＬｉＣｌが挙げられ、特に好ましくは、ＬｉＣｌである。これらの使用量は、熱可塑性エラストマー中カリウム、ナトリウム、又はリチウム原子換算で１０〜５００００ｐｐｍ、更に好ましくは１０〜３００００ｐｐｍ、特に好ましくは５０〜１００００ｐｐｍである。
【００３７】
更に、上記（Ｂ）熱可塑性エラストマーには、その変成物、例えば、上記（Ｂ）熱可塑性エラストマーにポリオレフィン、スチレン系樹脂、又はポリエステル等の骨格を有するものも含まれる。この場合の変成量は（Ｂ）熱可塑性エラストマーの５０％以下が好ましい。
【００３８】
［３］（Ｃ）芳香族リン化合物
上記「（Ｃ）芳香族リン化合物」は、上記一般式（１）及び上記一般式（２）から選ばれる少なくとも１種の芳香族系リン化合物である。尚、上記一般式（１）及び上記一般式（２）において、「低級アルキル基」とは、炭素数１〜４の、直鎖アルキル基又は分岐アルキル基である。
上記（Ｃ）芳香族リン化合物として具体的には、例えば、１０−（２，５−ジヒドロキシフェニル）−１０Ｈ−９−オキサ−１０−ホスファフェナントレン−１０−オキシド、１０−（２，３−ジヒドロキシフェニル）−１０Ｈ−９−オキサ−１０−ホスファフェナントレン−１０−オキシド、１０−（２，４−ジヒドロキシフェニル）−１０Ｈ−９−オキサ−１０−ホスファフェナントレン−１０−オキシド等が挙げられる。これらのうちでは、１０−（２，５−ジヒドロキシフェニル）−１０Ｈ−９−オキサ−１０−ホスファフェナントレン−１０−オキシドが特に好ましい。
上記（Ｃ）芳香族リン化合物は１種のみであってもよく、２種以上が併含されていてもよい。
【００３９】
上記（Ｃ）芳香族リン化合物の含有量は、上記（Ａ）熱可塑性樹脂及び上記（Ｂ）熱可塑性エラストマーの含有量の合計１００部に対して、０．３〜８部であり、好ましくは０．５〜６部、より好ましくは０．５〜４．８部、更好ましくは０．５〜４部である。上記（Ｃ）芳香族リン化合物の含有量が０．３部未満であると、難燃性熱可塑性樹脂組成物の難燃性、耐熱性が劣り、成形品の後収縮が発生し反りが生じる。一方、この含有量が８部を越えると、シャルピー衝撃強さ及び曲げモジュラス低下する。
【００４０】
［４］（Ｄ）リン化合物
本発明の難燃性熱可塑性樹脂組成物では、更に、上記「（Ｄ）リン化合物」を含有させることができる。上記「（Ｄ）リン化合物」は、上記一般式（７）で表わされる縮合リン酸エステル化合物及び／又はホスファゼン化合物である。
一般式（７）で表わされる縮合リン酸エステル化合物は、１種のみからなっていてもよいし、２種以上の異なる縮合リン酸エステルの混合物であってもよい。また、Ｒ６〜Ｒ９が有するフェニル基は、芳香環を形成する炭素に結合している水素原子がアルキル基等により置換されていてもよい。また、Ｘは、ジヒドロキシ化合物であるレゾルシノール又はビスフェノールＡからヒドロキシル基を除いた各々の残基である。
【００４１】
上記縮合リン酸エステル化合物が混合物の場合、ｎは混合物における平均値（平均重合度）を表す。平均重合度ｎは、０．５〜１．２が好ましく、特に０．７〜１．２、更には０．９〜１．１であることが好ましい。平均重合度ｎが０．５以上であると、難燃性熱可塑性樹脂組成物の耐熱性が向上し、成形品のシルバー不良等の外観不良が生じにくいので好ましい。一方、平均重合度ｎが１．２を越える縮合リン酸エステル化合物は品質のバラツキが多く、更に高価であり、経済的に使用し難いので、平均重合度ｎは１．２以下が好ましい。
上記縮合リン酸エステルは１種のみであってもよく、２種以上が併含されていてもよい。
【００４２】
上記縮合リン酸エステル化合物としては、下記式（８）〜式（１０）で表される化合物が好ましく、式（１０）で表される化合物が特に好ましい。
【００４３】
【化８】
2004091679.tif 000002
【００４４】
【化９】
2004091679.tif 000003
【００４５】
【化１０】
2004091679.tif 000004
【００４６】
上記ホスファゼン化合物としては、例えば、「Ｓｔｕｄｉｅｓ　ｉｎ　Ｉｎｏｒｇａｎｉｃ　Ｃｈｅｍｉｓｔｒｙ　６　Ｐｈｏｓｐｈｏｒｕｓ　（ＴｈｉｒｄＥｄｉｔｉｏｎ）」（ＥＬＳＥＶＩＥＲ）に記載された下記一般式（１１）で表される直鎖状ホスファゼン化合物及び／又は下記一般式（１２）で表される環状ホスファゼン化合物が挙げられる。
【００４７】
【化１１】
2004091679.tif 000005
【００４８】
【化１２】
2004091679.tif 000006
（但し、一般式（１１）及び一般式（１２）において、ｎは０〜１５、好ましくは１〜１０の整数である。また、Ｒ１０〜Ｒ２４はアルキル基、アリル基、アルコキシル基、アリロキシル基、アミノ基及びヒドロキシル基から選ばれる官能基である。更に、上記アルコキシル基、上記アリロキシル基は、アルキル基、アリル基、アミノ基及びヒドロキシル基等で修飾されていてもよい。）
【００４９】
上記ホスファゼン化合物の具体例としては、プロポキシホスファゼン、フェノキシホスファゼン、メチルフェノキシホスファゼン、アミノホスファゼン、フルオロアルキルホスファゼン等が挙げられる。また、その合成方法及び入手のし易さ等から、フェノキシホスファゼンが特に好ましい。これらは１種のみであってもよいし、２種以上の混合物であってもよいし、直鎖状ホスファゼンと環状ホスファゼンとの混合物であってもよい。更に、同一分子内のＲがすべて同種の官能基であってもよいし、各々が２種以上の異なった官能基であってもよい。このような置換ホスファゼン化合物の具体例としては、分子内の一部をフェノキシ基で置換し、その後にプロポキシ基で置換したホスファゼン、即ち、フェノキシプロポキシホスファゼン等が挙げられる。尚、市販のホスファゼンは一般にクロロホスファゼンをアルコール、又はフェノール等で置換することにより合成されたものである。
【００５０】
上記（Ｄ）リン化合物としては、縮合リン酸エステル化合物及びホスファゼン化合物の一方を用いてもよいし、これらを併用することもできるが、縮合リン酸エステル化合物がより好ましい。
上記（Ｄ）リン化合物の含有量は、上記（Ａ）熱可塑性樹脂及び上記（Ｂ）熱可塑性エラストマーの含有量の合計１００部に対して、好ましくは１〜３０部であり、より好ましくは５〜２０部、更に好ましくは７〜２０部、特に好ましくは１０〜１５部である。上記（Ｄ）リン化合物の含有量が１部以上であると、難燃性が十分となるので好ましく、３０部以下とすると、難燃性、耐熱性、反り性、シャルピー衝撃強さ及び曲げモジュラスの低下を抑制できるので好ましい。
【００５１】
本発明では、それぞれ所定量の上記（Ｃ）芳香族系リン化合物と上記（Ｄ）リン化合物とを併用することによって、十分な難燃性を有するとともに、より優れた耐熱性を備えるものとすることができる。更に上記（Ｂ）熱可塑性エラストマーの帯電防止性能を相乗的に向上させることができる。この場合、（Ｃ）／（Ｄ）の組成割合は、好ましくは１０／９０〜９０／１０、より好ましくは１０／９０〜８０／２０、更に好ましくは１０／９０〜６０／４０である。
【００５２】
また、本発明の難燃性熱可塑性樹脂として、芳香族ポリカーボネート樹脂を併用することによって、更に優れた難燃性及び耐熱性を併せ有する難燃性熱可塑性樹脂組成物とすることができる。具体的には、後記の方法により測定した難燃性を少なくともＶ−２レベルとすることができ、後記の方法により測定した耐熱性を１〜２０ｍｍ、特に１〜１５ｍｍとすることができる。更に、熱可塑性樹脂として芳香族ポリカーボネート樹脂を併用し、フッ素系のドリッピング防止剤を配合することにより、難燃性をＶ−０レベルとすることができ、耐熱性を１〜１０ｍｍ、特に１〜８ｍｍ、更には１〜５ｍｍとすることができる。
【００５３】
上記芳香族ポリカーボネート樹脂が併用する好ましい樹脂は上記ゴム強化スチレン系樹脂であり、これにより、芳香族ポリカーボネート樹脂の併用効果が一段と発揮される。
【００５４】
本発明の難燃性熱可塑性樹脂組成物には、難燃性をより向上させるため、フッ素系樹脂、及びシロキサン化合物又はポリシロキサン等を含有させることができる。上記フッ素系樹脂としては、ポリモノフルオロエチレン、ポリジフルオロエチレン、ポリトリフルオロエチレン、ポリテトラフルオロエチレン、テトラフルオロエチレン／フルオロプロピレン共重合体等が挙げられる。また、含フッ素単量体と、この単量体と共重合可能な種々の単量体との共重合体を用いることもできる。上記難燃剤は１種のみを用いてもよいし、２種以上を併用することもできる。上記難燃剤の含有量は、上記（Ａ）熱可塑性樹脂及び上記（Ｂ）熱可塑性エラストマーの含有量の合計１００部に対して、０．０５〜５部とすることができる。
【００５５】
更に、本発明の難燃性熱可塑性樹脂組成物には、必要に応じて充填剤を含有させることもできる。上記充填剤としては、ガラス繊維、炭素繊維、ワラストナイト、タルク、マイカ、カオリン、ガラスビーズ、ガラスフレーク、ミルドファイバー、酸化亜鉛ウィスカー、チタン酸カリウムウィスカー等が挙げられる。上記充填剤は１種のみであってもよいし、２種以上を併用してもよい。上記充填剤の含有量は、上記（Ａ）熱可塑性樹脂及び上記（Ｂ）熱可塑性エラストマーの含有量の合計１００部に対して、１〜２００部とすることができる。尚、タルク、ワラストナイト等は、難燃性熱可塑性樹脂組成物の外観を大きく損なうことがないため、特に好ましい。
【００５６】
また、難燃性熱可塑性樹脂組成物の物性、外観等を損なわない範囲で、カップリング剤、抗菌剤、防カビ剤、酸化防止剤、耐候剤、耐光剤、可塑剤、顔料及び染料等の着色剤等の種々の配合剤等を含有させることもできる。
【００５７】
本発明の難燃性熱可塑性樹脂組成物は、各種押出機、バンバリーミキサ、ニーダ、ロール、フィーダールーダ等により、各成分を混練することにより調製することができる。好ましい製造方法は、押出機又はバンバリーミキサを用いる方法である。更に、各々の成分を混練するに際しては、それらの成分を一括して混練してもよく、押出機で多段に配合する等、数回に分けて順次配合しつつ混練してもよい。尚、バンバリーミキサ、ニーダ等で混練した後、押出機によりペレット化することもできる。
【００５８】
上記のようにして調製された難燃性熱可塑性樹脂組成物は、射出成形、押出成形、真空成形、異形成形、発泡成形、圧縮成形、インジェクションプレス成形及びブロー成形等により、各種の成形品とすることができる。尚、射出成形において、ピンポイントゲートを使用すると、生産性に優れるので特に好ましい。
【００５９】
【実施例】
以下、実施例により本発明を具体的に説明する。
尚、実施例中の部及び％は、特に断らない限り質量部及び質量％である。
【００６０】
［１］難燃性熱可塑性樹脂組成物の物性の評価
（１）耐衝撃性：
ＩＳＯ　１７９に従い、シャルピー衝撃強さを測定することにより評価した。
（２）剛性：
ＩＳＯ　１７９に従い、曲げモジュラスを測定することにより評価した。
（３）反り性：
平均厚さ１．５ｍｍの平板成形品を平板上に置き、反り状態を下記評価基準に従って、目視評価した。
○：ほとんど反りがない。
×：反りが大きい。
（４）耐熱性：
長さ１０７ｍｍ×幅１２．５ｍｍ×厚さ３．２ｍｍの試験片の一方の末端部を固定し、他方の末端部に３０ｇの荷重を加え、７０℃で７０時間放置した後のたわみ量（ｍｍ）を測定した。たわみ量の大きいものは耐熱性が劣ると判断した。
（５）難燃性：
ＵＬ９４規格に定められた方法により、長さ５インチ×幅１／２インチ×厚さ１／１６インチの試験片について垂直燃焼試験を行った。表１ではＶ試験に適合したものをＶ−２又はＶ−０とし、Ｖ試験不適合で燃焼したものをＮＧとした。
（６）表面固有抵抗値：
ＡＳＴＭ　Ｄ２５７に従い、表面固有抵抗値（Ω）を測定した。
【００６１】
［２］（Ａ）熱可塑性樹脂
（１）Ａ１（芳香族ポリカーボネート樹脂）：
ビスフェノールＡとジフェニルカーボネートとを用いて溶液重合し、粘度平均分子量２００００の芳香族ポリカーボネート樹脂を得た。
（２）Ａ２（芳香族ポリカーボネート樹脂）：
ビスフェノールＡとジフェニルカーボネートとを用いて加熱溶融重合を行い、粘度平均分子量２３０００の芳香族ポリカーボネート樹脂を得た。
（３）Ａ３（共重合樹脂；ゴム強化樹脂）：
ポリブタジエンラテックス（平均粒径；３５０ｎｍ、ゲル分率；８５％）４０部、スチレン４５部及びアクリロニトリル１５部を用いて乳化重合した後、凝固させ、洗浄、乾燥してゴム強化樹脂を得た。このゴム強化樹脂のグラフト率は６０％、溶媒としてメチルエチルケトンを使用して３０℃で測定したアセトン可溶分の極限粘度は０．４５ｄｌ／ｇであった。
（４）Ａ４（スチレン系重合体；スチレン−アクリロニトリル共重合体）：
対照として、スチレン７５部、アクリロニトリル２５部を用いて、溶液重合によりスチレン−アクリロニトリル共重合体を得た。溶媒としてメチルエチルケトンを使用して３０℃で測定したこの重合体の極限粘度は０．４５ｄｌ／ｇであった。
（５）Ａ５（共重合樹脂；ゴム強化樹脂）：
ポリブタジエンラテックス（平均粒径；３５０ｎｍ、ゲル分率；８５％）３０部、スチレン１１．４部、アクリロニトリル３．５部及びメチルメタアクリレート３５．１部を用いて乳化重合した後、塩化カルシウムを用いて凝固させ、洗浄、乾燥してゴム強化樹脂を得た。このゴム強化樹脂のグラフト率は５６％、溶媒としてメチルエチルケトンを使用して３０℃で測定したアセトン可溶分の極限粘度は０．２５ｄｌ／ｇであった。
（６）Ａ６（スチレン系重合体；メチルメタアクリレート−スチレン−アクリロニトリル共重合体）：
メチルメタアクリレート７２部、スチレン２１部及びアクリロニトリル７部を用い、溶液重合によりメチルメタアクリレート−スチレン−アクリロニトリル共重合体を得た。溶媒としてメチルエチルケトンを使用して３０℃で測定したアセトン可溶分の極限粘度は０．２４ｄｌ／ｇであった。
（７）Ａ７（スチレン系重合体；スチレン−アクリロニトリル−ヒドロキシエチルメタアクリレート共重合体）：
スチレン６８部、アクリロニトリル２２部、ヒドロキシエチルメタアクリレート１０部を用いて、乳化重合によりスチレン−アクリロニトリル−ヒドロキシエチルメタアクリレート共重合体を得た。
【００６２】
［３］（Ｂ）熱可塑性エラストマー
（１）Ｂ１（ポリアミドエラストマー）：
ε−カプロラクタムと分子末端カルボキシル化剤としてアジピン酸を添加重合し、融点２００℃のナイロン６を得た。その後、ポリエチレングリコール（数平均分子量１５００）を添加重合し、ナイロン６／ポリエチレングリコール質量比＝４５／５５のポリアミドエラストマーを得た。
（２）Ｂ２（ポリアミドエラストマー）：
ε−カプロラクタムと分子末端カルボキシル化剤としてテレフタル酸を添加重合し、融点１９８℃のナイロン６を得た。その後、ポリ（テトラメチレンオキシド）グリコール（数平均分子量１５００）を添加重合し、ナイロン６／ポリ（テトラメチレンオキシド）グリコール質量比＝４０／６０のポリアミドエラストマーを得た。
（３）Ｂ３（ポリエステルエラストマー）：
テレフタル酸ジメチルとブタンジオールとを添加重縮合したのち、テレフタル酸ジメチルを添加し、重合反応を停止させた。これにより、分子両末端カルボン酸メチルエステルのポリブチレンテレフタレート（融点；２００℃）を得た。その後、ポリ（テトラメチレンオキシド）グリコール（数平均分子量１５００）を添加重合し、ポリブチレンテレフタレート／ポリ（テトラメチレンオキシド）グリコール質量比＝５０／５０のポリエステルエラストマーを得た。
【００６３】
［４］（Ｃ）芳香族系リン化合物
（１）Ｃ１：
下記式（１３）で表されるジヒドロキシオキサホスファフェナントレン系リン化合物（三光株式会社製、商品名「ＨＣＡ−ＨＱ」［１０−（２，５−ジヒドロキシフェニル）−１０Ｈ−９−オキサ−１０−ホスファフェナントレン−１０−オキシド］）を使用した。
【化１３】
2004091679.tif 000007
（２）Ｃ２：
下記式（１４）で表されるジヒドロキシオキサホスファフェナントレン系リン化合物（三光株式会社製、商品名「ＨＣＡ」［９，１０−ジヒドロキシ−９−オキサ−１０−ホスファフェナントレン−１０−オキシド］）を使用した。
【化１４】
2004091679.tif 000008
【００６４】
［５］（Ｄ）リン化合物
（１）Ｄ１：
縮合リン酸エステル化合物である商品名「アデカスタブＦＰ−７００」（旭電化株式会社製、尚、この縮合リン酸エステル化合物は、上記式（８）で示され、ｎが１．１である。）を使用した。
（２）Ｄ２：
縮合リン酸エステル化合物である商品名「アデカスタブＦＰ−５００」（旭電化株式会社製、尚、この縮合リン酸エステル化合物は、上記式（９）で示され、ｎが１．０である。）を使用した。
【００６５】
［６］その他の成分
Ｅ−１：ポリテトラフルオロエチレン（ダイキン工業社製、商品名「ダイフロンＦ２０１Ｌ」）
【００６６】
［７］実施例１〜９及び比較例１〜１１
上記の各々の成分を表１に記載の配合割合でヘンシェルミキサにより３分間混合し、二軸押出機（池貝鉄工株式会社製、型式「ＰＣＭ４５」）を用いて設定温度２４０℃で溶融混練した後、ペレット化した。次いで、得られたペレットを十分に乾燥し、射出成形機により評価用試験片を作製した。この試験片を使用し、上記の方法でシャルピー衝撃強さ、曲げモジュラス、反り性、耐熱性、難燃性及び表面固有抵抗値を測定した。その結果を表２に示す。
【００６７】
【表１】
2004091679.tif 000009
【００６８】
【表２】
2004091679.tif 000010
【００６９】
［８］実施例の効果
表１より、本発明の難燃性熱可塑性樹脂組成物である実施例１〜９は、全ての評価結果がバランスよく優れている。特に、上記（Ａ）熱可塑性樹脂としてポリカーボネートを使用した実施例６及び７は、難燃性はＶ−０レベルと優れ、且つ耐熱性試験におけるたわみ量も５〜６ｍｍと小さく、耐熱性にも優れていることが分かる。また、実施例９は、比較例７と対比して、表面固有抵抗値が２×１０１２と小さく、耐熱性試験におけるたわみ量も３ｍｍと小さく、難燃性にも優れていることから、上記（Ｃ）芳香族リン化合物を含有することにより、難燃性、耐熱性及び帯電防止性が向上することが分かる。
【００７０】
これに対し、表１より、上記（Ａ）熱可塑性樹脂の含有量が本発明の下限値未満であり、上記（Ｂ）熱可塑性エラストマーの含有量が本発明の上限値を超えている比較例１は、難燃性に劣り、また、曲げモジュラスが１１００ＭＰａと低く、耐熱性試験のたわみ量も３５ｍｍと大きいことから、剛性及び耐熱性に劣ることが分かる。一方、上記（Ａ）熱可塑性樹脂の含有量が本発明の上限値を超え、上記（Ｂ）熱可塑性エラストマーの含有量が本発明の下限値未満である比較例２は、表面固有抵抗値が極めて大きく、また、シャルピー衝撃強さが１ＫＪ／ｍと低いことから、強度及び帯電防止性に劣ることが分かる。
また、本発明の上記（Ｃ）芳香族リン化合物を含有しない比較例７は、難燃性に劣り、また、表面固有抵抗値は２×１０１４Ωと大きいことから、帯電防止性も劣ることが分かる。
更に、本発明の上記（Ｃ）芳香族リン化合物の含有量が本発明の下限値未満である比較例３及び４は、難燃性が劣り、耐熱性試験のたわみ量が２０ｍｍと大きいことから耐熱性に劣り、更に反りが発生していることが分かる。一方、本発明の上記（Ｃ）芳香族リン化合物の含有量が本発明の上限値を超える比較例５及び６は、シャルピー衝撃強さが３ＫＪ／ｍと低く、強度に劣ることが分かる。
【手続補正書】
【提出日】平成14年11月15日(2002.11.15)
【手続補正１】
【補正対象書類名】明細書
【補正対象項目名】請求項１
【補正方法】変更
【補正の内容】
【請求項１】
（Ａ）熱可塑性樹脂及び（Ｂ）ハードセグメントとしてポリアミド鎖又はポリエステル鎖と、ソフトセグメントとしてポリ（アルキレンオキシド）鎖からなる熱可塑性エラストマーの含有量の合計を１００質量部とした場合、上記（Ａ）熱可塑性樹脂を８０〜９９．９質量部及び上記（Ｂ）熱可塑性エラストマーを０．１〜２０質量部含有し、且つ、（Ｃ）下記一般式（１）及び下記一般式（２）から選ばれる少なくとも１種の芳香族系リン化合物を、上記（Ａ）熱可塑性樹脂及び上記（Ｂ）熱可塑性エラストマーの含有量の合計１００質量部に対して０．３〜８質量部含有することを特徴とする難燃性熱可塑性樹脂組成物。
【化１】
2004091679.tif 000018
（上記一般式（１）中、Ｒ１及びＲ２は、水素原子、ハロゲン原子又は低級アルキル基であり、Ｒ３は、水素原子、ハロゲン原子、ヒドロキシル基又は低級アルキル基である。ｘ１はそれぞれ独立に１〜４の整数であり、ｙは１〜５の整数である。ｘ１が１の場合、Ｒ１とＲ２は同一であってもよいし、異なっていてもよい。ｘ１が２〜４の場合、複数のＲ１及びＲ２の各々はそれぞれ同一であってもよいし、異なっていてもよい。ｙが２〜５の場合、複数のＲ３の各々は同一であってもよいし、異なっていてもよい。）
【化２】
2004091679.tif 000019
（上記一般式（２）中、Ｒ４及びＲ５は、水素原子、ハロゲン原子又は低級アルキル基である。ｘ２はそれぞれ独立に１〜４の整数である。ｘ２が１の場合、Ｒ４とＲ５は同一であってもよいし、異なっていてもよい。ｘ２が２〜４の場合、複数のＲ４及びＲ５の各々はそれぞれ同一であってもよいし、異なっていてもよい。Ｚは水素原子、又は下記の式（３）〜（６）から選ばれる１価の基である。）
【化３】
2004091679.tif 000020
【化４】
2004091679.tif 000021
【化５】
2004091679.tif 000022
【化６】
2004091679.tif 000023